(57)【要約】  ブラシと、ブラシの末端部にスタンプとを有する化粧用アプリケータ。本化粧用アプリケータは、ブラシを用いて睫毛にマスカラを塗布し得る。本化粧用アプリケータは、スタンプを用いて肌にビューティマークを塗布し得る。スタンプは、ブラシに対して枢動し得る。スタンプは、ウィングアイルック用のスタンプとして使用することができる。したがって、スタンプは、左右に屈曲でき、左右の目にウィングアイルックをつくることを可能とする。スタンプは、マスカラアプリケータの長手方向アクセスを中心として選択的に枢動可能であり得る。化粧用アプリケータを用いてウィングアイルックをつくるための方法。【選択図】図１
2021535821.tif 000002
【特許請求の範囲】
【請求項１】
化粧用アプリケータであって、
ワンドと、
前記ワンドに連結されたブラシと、
前記ブラシの末端部に連結されたスタンプと
を備え、前記スタンプは、表面にビューティマークを塗布するように構成され、
前記スタンプは、前記ブラシに対して枢動するように構成される、化粧用アプリケータ。
【請求項２】
前記スタンプは、ラテックスを含まないプラスチックから形成される、請求項１に記載の化粧用アプリケータ。
【請求項３】
前記ワンドは、基端部と末端部とを備え、前記基端部は、ハンドルに連結され、前記末端部は、前記ブラシに連結される、請求項１に記載の化粧用アプリケータ。
【請求項４】
前記ブラシは、化粧品を睫毛に塗布するように構成され、前記スタンプは、前記化粧品を瞼に塗布するように構成される、請求項１に記載の化粧用アプリケータ。
【請求項５】
前記スタンプは、ウィングアイ形状を瞼に塗布するように構成される、請求項１に記載の化粧用アプリケータ。
【請求項６】
前記スタンプは、ピボットデバイスを用いて前記ブラシの前記末端部に連結され、前記ピボットデバイスは、中立位置と、左に枢動した位置と、右に枢動した位置との間で前記スタンプを移動させるように構成される、請求項１に記載の化粧用アプリケータ。
【請求項７】
前記ピボットデバイスは、フランジ、締結具、及びチップホルダを備える、請求項６に記載の化粧用アプリケータ。
【請求項８】
前記スタンプは、フランジを更に備え、前記フランジは、チップホルダ内に受容されるように構成され、前記スタンプは、前記チップホルダに対して枢動するように構成される、請求項１に記載の化粧用アプリケータ。
【請求項９】
前記チップホルダは、シャフトを更に備え、前記シャフトは、前記ワンド内に受容されるように構成される、請求項８に記載の化粧用アプリケータ。
【請求項１０】
前記フランジは第１の開口を備え、前記チップホルダは少なくとも１つの第２の開口を備え、前記第１の開口及び前記少なくとも１つの第２の開口は位置合わせされる、請求項８に記載の化粧用アプリケータ。
【請求項１１】
前記第１の開口及び前記少なくとも１つの第２の開口内に受容される締結具を更に備える、請求項１０に記載の化粧用アプリケータ。
【請求項１２】
前記スタンプは、三角形、湾曲した三角形、扇形、くさび形、又は卵形状の一部分である、請求項１に記載の化粧用アプリケータ。
【請求項１３】
化粧用アプリケータのためのインサートであって、
スロットを有するチップホルダと、
前記スロット内に受容されるように構成され、前記チップホルダに対して枢動するように構成されたチップと、
前記チップホルダに連結されたシャフトと
を備え、
前記シャフトは、化粧用アプリケータ内に受容されるよう構成される、インサート。
【請求項１４】
前記チップは、スタンプ部分とフランジとを更に備え、前記フランジは、フランジ開口を備える、請求項１３に記載のインサート。
【請求項１５】
前記スタンプ部分は、三角形、湾曲した三角形、扇形、くさび形、又は卵形状の一部分である、請求項１４に記載のインサート。
【請求項１６】
前記チップホルダは、少なくとも１つのチップホルダ開口を更に備え、前記チップホルダ開口及び前記フランジ開口は、締結具を受容するように位置が合っている、請求項１５に記載のインサート。
【請求項１７】
前記締結具は、前記チップが前記チップホルダに対して枢動することを可能にするように構成される、請求項１６に記載のインサート。
【請求項１８】
化粧を施すための方法であって、
ブラシと前記ブラシの末端部に連結されたスタンプとを有するワンドを提供することと、
前記ワンドをマスカラ製品のリザーバ内に挿入することと、
前記スタンプが第１の位置にある状態で、前記マスカラ製品を前記ブラシを用いて第１の目の睫毛に塗布することと、
前記スタンプを前記第１の位置から第２の位置に枢動させることと、
第１の表面にビューティマークをつくるように、前記第２の位置において、前記第１の表面に前記スタンプを押すことと
を備える、方法。
【請求項１９】
前記スタンプを前記第１の位置から前記第２の位置に枢動させる前に、前記ワンドを前記リザーバ内に挿入することを更に備える、請求項１８に記載の方法。
【請求項２０】
前記スタンプを前記第２の位置から前記第１の位置に枢動させることと、
前記スタンプが前記第１の位置にある状態で、マスカラ製品を前記ブラシを用いて第２の目の睫毛に塗布することと、
前記スタンプを前記第１の位置から第３の位置に枢動させることと、
第２の表面に前記ビューティマークをつくるように、前記第３の位置において、前記第２の表面に前記スタンプを押すことと
を更に備える、請求項１８に記載の方法。
【請求項２１】
前記第１の表面は前記第１の目の瞼であり、前記第２の表面は前記第２の目の瞼であり、前記ビューティマークはウィングアイ効果である、請求項２０に記載の方法。
【請求項２２】
前記第１の位置は垂直位置であり、前記第２の位置は、前記垂直位置の左に枢動した位置であり、前記第３の位置は、前記垂直位置の右に枢動した位置である、請求項２０に記載の方法。
【発明の詳細な説明】
【関連出願の相互参照】
【０００１】
[0001]  本特許出願は、２０１８年８月２９日に出願された米国特許出願第１６／１１６，５８６号の優先権の利益を主張するものであり、その内容全体を参照により本明細書に援用する。
【技術分野】
【０００２】
[0002]  本開示は、マスカラを塗布するためのアプリケータに関する。より具体的には、本開示は、アイライナースタンプを含むマスカラアプリケータに関する。
【背景技術】
【０００３】
[0003]  現在、マスカラ及びアイライナーは、別々の用途で使用者の目に塗布される。マスカラは、従来のマスカラアプリケータ又は端部にブラシ毛を有するワンド（wand）を用いて睫毛に塗布することができる。液体、粉末、ワックス、又はゲルアイライナーなどのアイライナーは、従来のアイライナーアプリケータを用いて、使用者の上瞼又は下瞼に塗布することができる。アイライナーは、目の輪郭をはっきりさせるため、又は目を大きく若しくは小さくみせるために使用され得る。場合によっては、アイライナーは、上瞼にウィングアイ法又はキャットアイ法で塗布される。ウィングアイルック（winged eye look）は、現在、従来のアイライナーを用いて上瞼にウィングアイ又はキャットアイを描くことによって達成される。代替的に、アイライナーは、別個のウィングアイ形状のスタンプに適用されることもあり、その場合スタンプを瞼に当て得る。上述の技法は、時間がかかり、いくつかの製品を必要とし、施すのに高いレベルのスキルを必要とするので難しい場合もある。更に、これらの技法は、使用者が３つの別個のアプリケータ、すなわちマスカラ、アイライナー、及びスタンプを購入する必要があるので費用がかかる。したがって、マスカラの塗布、及びウィングアイなどのアイルックをスタンプで叶えるための、簡単に使用できるコンパクトなアプリケータが必要とされている。
【発明の概要】
【０００４】
[0004]  一実施形態によれば、化粧用アプリケータは、ワンドと、ワンドに連結されたブラシと、ブラシの末端部に連結されたスタンプとを含み得、スタンプは、表面にビューティマークを塗布するように構成され、スタンプは、ブラシに対して枢動するように構成される。
【０００５】
[0005]  一実施形態によれば、化粧用アプリケータのためのインサートは、スロットを有するチップホルダと、スロット内に受容されるように構成され、チップホルダに対して枢動するように構成されたチップと、チップホルダに連結されたシャフトとを含み得、シャフトは、化粧用アプリケータ内に受容されるよう構成される。
【０００６】
[0006]  一実施形態によれば、化粧を施すための方法は、ブラシと該ブラシの末端部に連結されたスタンプとを有するワンドを提供することと、ワンドをマスカラ製品のリザーバ内に挿入することと、スタンプが第１の位置にある状態で、マスカラ製品をブラシを用いて第１の目の睫毛に塗布することと、スタンプを第１の位置から第２の位置に枢動させることと、第１の表面にビューティマークをつくるように、第２の位置において、第１の表面にスタンプを押すこととを含み得る。
【０００７】
[0007]  本発明の追加の特徴、利点、及び実施形態が、以下の詳細な説明、図面、及び特許請求の範囲を考慮することによって説明される、又は明らかである。更に、本発明の前述の概要及び以下の詳細な説明の両方が例示的なものであり、請求項記載の本発明の範囲を限定することなく更なる説明を提供することを意図したものであることを理解されたい。
【図面の簡単な説明】
【０００８】
【図１】[0008]  本開示の一実施形態による化粧用アプリケータの概略図を示す。
【図２Ａ】[0009]  本開示の一実施形態による、化粧を施すための第１の位置にある化粧用アプリケータを示す。
【図２Ｂ】[00010]  本開示の一実施形態による、化粧を施すための第２の位置にある図２Ａの化粧用アプリケータを示す。
【図２Ｃ】[00011]  本開示の一実施形態による、化粧を施すための第３の位置にある図２Ａの化粧用アプリケータを示す。
【図３Ａ】[00012]  本開示の一実施形態による、化粧用アプリケータのためのインサートアセンブリの側面図を示す。
【図３Ｂ】[00013]  本開示の一実施形態による、図３Ａの位置から９０度回転した図３Ａのインサートアセンブリの別の側面図を示す。
【図３Ｃ】[00014]  本開示の一実施形態による、図３Ａと図３Ｂの間の位置に回転した図３Ａのインサートアセンブリの別の側面図を示す。
【図３Ｄ】[00015]  本開示の一実施形態による、図３Ａのインサートアセンブリの上面図を示す。
【図４Ａ】[00016]  本開示の一実施形態による、図３Ａのインサートアセンブリのチップホルダ及びシャフトの斜視図を示す。
【図４Ｂ】[00017]  本開示の一実施形態による、図４Ａのチップホルダ及びシャフトの側面図を示す。
【図４Ｃ】[00018]  本開示の一実施形態による、図４Ａのチップホルダ及びシャフトの上面図を示す。
【図４Ｄ】[00019]  本開示の一実施形態による、図４Ｂの位置から９０度回転した図４Ａのチップホルダ及びシャフトの別の側面図を示す。
【図４Ｅ】[00020]  本開示の一実施形態による、図４Ｂと図４Ｄの間の位置に回転した図４Ａのチップホルダ及びシャフトの別の側面図を示す。
【図５Ａ】[00021]  本開示の一実施形態による、図３Ａのインサートアセンブリのチップの斜視図を示す。
【図５Ｂ】[00022]  本開示の一実施形態による、図５Ａのチップの側面図を示す。
【図５Ｃ】[00023]  本開示の一実施形態による、図５Ｂの位置から９０度回転した図５Ａのチップの別の側面図を示す。
【図５Ｄ】[00024]  本開示の一実施形態による、図５Ａのチップの上面図を示す。
【詳細な説明】
【０００９】
[00025]  したがって、１つの実施形態は、一端にマスカラアプリケータと、マスカラアプリケータの末端部にスタンプとを含み得る化粧用アプリケータを含む。マスカラアプリケータは、ブラシを用いて睫毛に化粧を施すことができる。スタンプは、ピボットデバイスを用いてマスカラアプリケータのブラシに連結され得る。スタンプは、１つ又は複数の角度のついた位置と直立位置との間で枢動、移動、旋回、クリック、及び／又は屈曲し得る。スタンプは、所望の位置のところに係止され得る。スタンプは、ウィングアイルック用のスタンプとして使用することができる。したがって、スタンプは、左右に屈曲でき、左右の目にウィングアイルックをつくることを可能とする。スタンプは、マスカラアプリケータの長手方向アクセスを中心として選択的に枢動可能であり得る。
【００１０】
[00026]  図１を参照すると、化粧用アプリケータ１０を示している。化粧用アプリケータ１０は、マスカラアプリケータワンドであり得る。化粧用アプリケータ１０は、ハンドル１２と、ハンドル１２から延びるワンド１４とを含み得る。ワンドは、基端部１４ａにおいてハンドル１２に連結され得る。ハンドル１２は、マスカラアプリケータの典型であるように、閉鎖端１２ａを有する実質的に管形状のキャップであり得る。ハンドル１２は、当技術分野で既知のように、液体の化粧品又はマスカラ製品のリザーバ又はレセプタクル（図示せず）に連結するためのねじ山又は他の接続機構を管状キャップの内面に含み得る。化粧用アプリケータ１０は、ワンド１４の末端部１４ｂに連結されたブラシ１６を含み得る。ブラシ１６は、ワンド１４に連結された別個の構成要素であり得るか、又はワンド１４の外面と一体に、及び／又は外面の周りに形成され得る。ブラシ１６は、睫毛にマスカラ製品を塗布するためのブラシであり得る。
【００１１】
[00027]  引き続き図１を参照すると、チップ１８が、ブラシ１６の末端部１６ａに連結され得る。チップ１８は、ブラシ１６又はブラシ１６を通して延び得るワンド１４に連結され得る。チップ１８はスタンプであり得る。チップ１８は、ウィングアイ又はキャットアイ効果をつくるような形状にされ得る。当然ながら、スタンプの他の形状も企図される。例えば、チップ１８は、三角形、湾曲した三角形（例えばコンマに類似）、扇形（例えば「パイスライス」に類似）、Ｓ字形状、湾曲した形状、くさび形等であり得る。ウィングアイをつくるために図示及び説明したが、チップ１８は、液体マスカラ製品を用いてビューティマークを形成する他の形態又は形状をとり得る。例えば、チップ１８は、花、月、ハート、星、三日月等、又はそれらの組合せであり得る。更に、ウィングアイは、所望のウィングアイ効果を提供するために、例えば、より丸く、より長く、より短く、より尖っていてもよい。チップ１８は、軟質プラスチック、ラテックスを含まない材料、又はそれらの組合せであり得るが、他の材料が企図される。チップ１８は、チップ１８が異なる形状のスタンプと交換可能であり得るように、ワンド１４に着脱可能に固定され得る。代替的に、チップ１８は、ワンド１４に恒久的に固定され、及び／又はワンド１４と一体的に形成されてもよい。
【００１２】
[00028]  前述のように、チップ１８は、ブラシ１６の末端部１６ａにおいてワンド１４又はブラシ１６に連結され得る。連結器は、ピボットデバイス（図示せず）であり得る。ピボットデバイスは、チップ１８を様々な位置に枢動、移動、旋回、クリック、及び／又は屈曲させ得る。ピボットデバイスは、チップ１８が化粧用アプリケータ１０の長手方向軸２０に対して枢動又は回転することを可能にし得る。チップ１８は、図１に示す第１の位置を有し得、ここで、チップ１８は、垂直に又は概ね「真っ直ぐ立った」位置に延びている。図１の位置は、長手方向軸２０と同じ軸に沿って概ね直立の中立位置であり得る。チップ１８は、この位置から左又は右に枢動又は回転され得る。チップ１８は、左に半分および右に半分、枢動し得る。左右の位置に枢動されると、チップ１８は、使用者の左右の目それぞれに当てられ、ウィングアイルックを達成し得る。チップ１８は、各位置に係止され得る。所望のアイ効果を達成するために、チップ１８の追加の漸増的な枢動が企図され得る。
【００１３】
[00029]  チップ１８の枢動を容易にする、チップ１８を末端部１６ａに連結するピボットデバイスは、ラチェット、ボールソケット接続、及び爪と歯の噛み合い（pawl and tooth engagement）、又は他の回転作動若しくはロータリ作動デバイスであり得る。代替的に、ピボットデバイスは、電気式、磁気式、又は空気圧式アクチュエータであってもよい。ピボットデバイスは、枢動可能な位置の各々からチップ１８を係止及び／又は係止解除するためのレバー又はボタンを含み得る。
【００１４】
[00030]  図２Ａ〜図２Ｃを参照すると、例示的な化粧用アプリケータ１００の図を示している。化粧用アプリケータ１００は、化粧用アプリケータ１０と同一又は同様であり得る。図示していないが、ワンド１１４は、基端部（例えば図１の１４ａ）においてハンドル（例えば図１の１２）に連結され得る。図２Ａを参照すると、ワンド１１４は、ワンド１１４の末端部１１４ｂに連結されたブラシ１１６を含み得る。ブラシ１１６は、ワンド１１４に連結された別個の構成要素であり得る。代替的に、ブラシ１１６は、ワンド１１４の外面と一体に、及び／又は外面の周りに形成されてもよい。ブラシ１１６は、睫毛にマスカラ製品を塗布するためのブラシであり得る。
【００１５】
[00031]  引き続き図２Ａを参照すると、ワンド１１４は、ブラシ１１６の末端部１１６ａにインサートアセンブリ１２２を含み得る。インサートアセンブリ１２２は、チップ１１８及びチップホルダ１２４を含み得る。チップ１１８は、チップ１８（図１）と同様又は同一のスタンプであり得る。チップ１１８は、ウィングアイ又はキャットアイ効果をつくるような形状にされ得る。例えば、チップ１１８は、三角形、湾曲した三角形（例えばコンマに類似）、扇形（例えば「パイスライス」に類似）、Ｓ字形状、湾曲した形状、くさび形等であり得る。ウィングアイをつくるために図示及び説明したが、チップ１８に関して説明したように、チップ１１８は、液体マスカラ製品を用いてビューティマークを形成する他の形態又は形状をとり得る。チップ１１８は、軟質プラスチック、ラテックスを含まない材料、又はそれらの組合せであり得るが、他の材料が企図される。
【００１６】
[00032]  チップ１１８は、図３〜図５でより詳細に説明するように、チップホルダ１２４内に受容され得る。チップ１１８は、チップホルダ１２４内に受容され得るフランジ１２６を含み得る。フランジ１２６は、チップホルダ１２４に恒久的又は着脱可能に固定され得る。すなわち、フランジ１２６は、チップ１１８を他の形状のチップと交換できるように、例えば、ピン又はねじで着脱可能に連結され得る。チップホルダ１２４は、シャフト１３２（図３Ａ）を含み得る。シャフト１３２は、ブラシ１１６及び／又はワンド１１４のボア内に延在し得る。シャフト１３２は、接着剤、ねじ係合、係止機構等を用いてブラシ１１６及び／又はワンド１１４内に固定され得る。
【００１７】
[00033]  図２Ｂ及び図２Ｃを参照すると、チップ１１８は、１つ又は複数の位置間で移動又は枢動することが可能であり得る。すなわち、チップ１１８とチップホルダ１２４との連結器は、チップ１１８がチップホルダ１２４に対して、したがってブラシ１１６及びワンド１１４に対して移動することを可能にし得る。連結器は、チップ１１８が化粧用アプリケータ１００の長手方向軸１２０（図２Ａ）に対して枢動又は回転することを可能にし得る。連結器は、図１に関して前述したように、ピボットデバイスであり得る。連結器は、締結具１３８（図２Ｂ）であり得る。したがって、化粧用アプリケータ１００は、様々な塗布位置を有し得る。例えば、化粧用アプリケータ１００は、図２Ａの第１の位置を有し得る。第１の位置では、チップ１１８は、垂直であり得、又は概ね「真っ直ぐ立った位置」にあり得る。図２Ａの位置は、長手方向軸１２０と同じ軸に沿って概ね直立の中立位置であり得る。図２Ａの第１の位置は、使用者がマスカラなどの化粧品を、ブラシ１１６を使用して睫毛に塗布することを可能にする位置に対応し得る。チップ１１８は、図２Ａの第１の位置から左又は右に枢動又は回転され得る。
【００１８】
[00034]  図２Ｂを参照すると、化粧用アプリケータ１００は、第２の位置を有し得る。第２の位置では、チップ１１８は、方向１２８に移動、回転、又は枢動され得る。チップ１１８は、チップホルダ１２４、ブラシ１１６、及び／又はワンド１１４に対して移動し得る。チップ１１８を方向１２８に移動させると、チップ１１８が、長手方向軸１２０（図２Ａ）と直角である実質的に水平な位置に移動し得る。代替的に、チップ１１８は、図２Ａの垂直位置と図２Ｂの水平位置との間の位置に移動されてもよい。図２Ｂの位置は、使用者がマスカラなどの化粧品を、チップ１１８を使用して塗布することを可能にするチップアプリケータ位置に対応し得る。例えば、図２Ｂの第２の位置は、使用者が左目にウィングアイ又はキャットアイ効果をつけることを可能にする位置に対応し得る。すなわち、使用者は、ハンドル１２（図１）を持ってチップ１１８を瞼のほうに向けることができ、ここで、先端１４６（図５Ａ）が目に最も近く、丸みを帯びた部分１４８（図５Ａ）が目から最も遠くなる。次いで、使用者は、チップ１１８を瞼に押し付けて、化粧品を瞼に塗布することができる。チップ１１８は、図２Ｂの位置に係止され得る。所望のアイ効果を達成するために、チップ１１８の追加の漸増的な枢動が企図され得る。
【００１９】
[00035]  図２Ｃを参照すると、化粧用アプリケータ１００は、第３の位置を有し得る。第３の位置では、チップ１１８は、方向１３０に移動又は枢動され得る。チップ１１８は、チップホルダ１２４、ブラシ１１６、及び／又はワンド１１４に対して移動し得る。チップ１１８を方向１３０に移動させると、チップ１１８は、長手方向軸１２０（図２Ａ）と直角であり、かつ図２Ｂの位置とは反対（例えばそこから１８０度）である実質的に水平な位置に移動し得る。代替的に、チップ１１８は、図２Ａの垂直位置と図２Ｃの水平位置との間の位置に移動されてもよい。図２Ｃの位置は、使用者がマスカラなどの化粧品を、チップ１１８を使用して塗布することを可能にするチップアプリケータ位置に対応し得る。例えば、図２Ｃの第３の位置は、使用者が右目にウィングアイ又はキャットアイ効果をつけることを可能にする位置に対応し得る。すなわち、使用者は、ハンドル１２（図１）を持ってチップ１１８を瞼のほうに向けることができ、ここで、先端１４６（図５Ａ）が目に最も近く、丸みを帯びた部分１４８（図５Ａ）が目から最も遠くなる。次いで、使用者は、チップ１１８を瞼に押し付けて、化粧品を瞼に塗布することができる。チップ１１８は、図２Ｃの位置に係止され得る。所望のアイ効果を達成するために、チップ１１８の追加の漸増的な枢動が企図され得る。
【００２０】
[00036]  塗布中、化粧用アプリケータ１００が図２Ａの位置にある状態で、使用者は、ブラシ１１６及びチップ１１８を有するワンド１１４の端部をマスカラ製品のリザーバ内につけ得る又は挿入し得る。使用者は、ブラシ１１６の全体がマスカラ製品で覆われるように、ワンド１１４をリザーバ内に挿入し得る。次いで使用者は、ブラシ１１６のブラシ毛を使用して既知の方法で睫毛にマスカラを塗布し得る。使用者は、再びワンド１１４の端部をリザーバ内に挿入し得る。使用者は、チップ１１８をマスカラ製品でコーティングするのに必要な分だけワンド１１４を挿入し得る。代替的に、睫毛に塗布した後に十分なマスカラ製品がブラシ１１６上に残っている場合、使用者は、ブラシ１１６を用いて塗布した後にワンド１１４を単に使用してもよい。使用者は、使用者が望むチップ１１８の方向に応じて、チップ１１８を図２Ｂ又は図２Ｃの位置に枢動、移動、旋回、又はクリックさせ得る。チップ１１８が図２Ｂ又は図２Ｃに移動された後、使用者は、マスカラ製品がチップ１１８から瞼に転写されるように圧力を加えながら第１の目の瞼にチップ１１８を押し当て得る。使用者は、所望の効果をつくるために、必要に応じて加圧を繰り返し得る。使用者は、所望の効果をつくるために、必要に応じてチップ１１８に化粧品を足すプロセスを繰り返し得る。
【００２１】
[00037]  第１の目が完成したら、使用者は、チップ１１８を枢動、移動、旋回、又はクリックさせて図２Ａの位置に戻し得る。使用者は、より多くのマスカラ製品を望む又は必要とする場合、前述のように、ワンド１１４をリザーバ内に挿入し得る。しかしながら、第２の目に塗布するのに十分なマスカラ製品がチップ１１８に残っている場合、このステップを省略できる。次いで使用者は、チップ１１８を図２Ｂ又は図２Ｃの位置のうちのもう一方に枢動、移動、旋回、又はクリックさせ得る（例えば、使用者がチップ１１８を図２Ｂの位置に先に移動させた場合、使用者は今度はチップ１１８を図２Ｃの位置に移動させ、これは第１の目のために最初に移動させたのとは反対方向である）。使用者は、マスカラ製品がチップ１１８から瞼に転写されるように圧力を加えながら第２の目の瞼にチップ１１８を押し当て得る。第２の目が完成したら、使用者は、チップ１１８を移動させて図２Ａの位置に戻し得る。ワンド１１４をリザーバに戻し得、ハンドル１２（図１）は、化粧用アプリケータ１００の保管のためにリザーバに固定され得る。使用者は、所望の効果をつくるために、必要に応じて加圧を繰り返し得る。使用者は、所望の効果をつくるために、必要に応じてチップ１１８に化粧品を足すプロセスを繰り返し得る。
【００２２】
[00038]  説明していないが、使用者は、睫毛及び瞼それぞれへの塗布中に必要に応じてブラシ１１６及び／又はチップ１１８から余分なマスカラ製品をこすり取るか又は除去し得る。瞼への塗布に言及して説明したが、スタンプを、例えば顔の他の場所を含む、使用者が望む他の場所又は身体部分に当ててもよい。化粧用アプリケータ１０及びチップ１８は、同一又は同様の方法で動作し得る。
【００２３】
[00039]  図１及び図２を参照すると、ブラシ１６は、睫毛にマスカラ製品を塗布するような形状にされ得る。例えば、ブラシ１６又は１１６は円錐形であり得る。すなわち、ブラシ１６又は１１６の毛又はブラシ毛は、下端（例えば、チップ１８又は１１８から最も遠い端部）付近で長くなり、上端（例えば、チップ１８又は１１８に最も近い端部）付近で短くなり得る。したがって、ブラシ１６又は１１６の毛又はブラシ毛は、下端から上端にかけて長さが徐々に減少し得る。代替的又は追加的に、ブラシ毛又は毛は、ブラシ１６又は１１６の下端から上端にかけて太さ及び／又は数が徐々に減少し得る。このようにして、チップ１８又は１１８のスタンプを瞼に当てるときに、上端付近のブラシ毛又は毛が短いことにより、ブラシ毛から瞼へのマスカラの塗布が防止又は低減され得る。
【００２４】
[00040]  追加的又は代替的に、ブラシ１６又は１１６の一方の長手方向側部が、第１の長さの毛又はブラシ毛を有してもよく、他方の長手方向側部が、第２の長さの毛又はブラシ毛を有してもよい。第１の長さは、第２の長さよりも短くてよい。各側部は、ブラシ１６又は１１６の半分であり得る。したがって、第１の長さを有する第１の側部は、マスカラ製品を下睫毛に塗布するためのものであり得、第２の長さを有する第２の側部は、マスカラ製品を上睫毛に塗布するためのものであり得る。両側部のブラシ毛又は毛は、ブラシ１６又は１１６が円錐形となるように、前述のように下端から上端にかけて長さが徐々に減少し得る。
【００２５】
[00041]  代替的又は追加的に、ブラシ毛又は毛は、チップ１８又は１１８付近で細くなり得る。代替的又は追加的に、ブラシ１６又は１１６は、ブラシ毛がブラシ１６又は１１６の下端付近で短く、中間点又はその付近にかけて長さが徐々に増加し、次いでチップ１８又は１１８付近の上端にかけて長さが徐々に減少するようなトウモロコシの穂軸形状であってもよい。代替的又は追加的に、トウモロコシの穂軸は、より太い又はより多くのブラシ毛又は毛を含み得る中間点と比較して、両端部付近により細い又はより少ないブラシ毛又は毛を含み得る。ブラシ毛又は毛は、チップ１８又は１１８を用いた塗布中にブラシ毛又は毛から瞼への転写を防止又は阻止しながらも睫毛のボリュームを増やすような形状又は寸法にされ得る。
【００２６】
[00042]  図３Ａ〜図３Ｄは、インサートアセンブリ１２２の図を示す。インサートアセンブリ１２２は、チップ１１８、チップホルダ１２４、シャフト１３２、及び締結具１３８（図２Ｂ）を含み得る。チップホルダ１２４及びシャフト１３２は、一体的に及び／又は単体として形成され得る。前述のように、シャフト１３２は、ワンド１４、１１４及び／又はブラシ１６、１１６のボア内に受容され得る。シャフト１３２は、接着剤、ねじ係合、係止機構等を用いてブラシ１１６及び／又はワンド１１４内に固定され得る。チップ１１８のフランジ１２６は、チップホルダ１２４のスロット１３４内に受容され得る。チップ１１８のフランジ１２６は、締結具１３８（図２Ｂ）を用いてチップホルダ１２４のスロット１３４内に固定され得る。締結具１３８は、チップホルダ１２４の開口１３６（図３Ａでは１つのみが見える）と、チップ１１８の対応する開口１５０（図５Ａ）とを通して延び得る。締結具１３８は、ピン、ボルト、ねじ、ロッド、又は他のシャフトであり得る。締結具１３８は、ナット又は他の固定部材によってそれぞれの開口に固定され得る。締結具１３８は、チップ１１８とチップホルダ１２４との相対移動を可能にし得る。すなわち、前述のように、締結具１３８は、チップ１１８が前述の位置間で回転又は旋回することを可能にし得る。
【００２７】
[00043]  図４Ａ〜図４Ｅは、インサートアセンブリ１２２（図３Ａ〜図３Ｃ）のチップホルダ１２４及びシャフト１３２の図を示しており、チップ１１８及び締結具１３８は省略されている。チップホルダ１２４及びシャフト１３２は、組み合わせた長さＡを有し得る。長さＡは、約４０．５ｍｍ（約１．５９４インチ）であり得る。シャフト１３２は、長さＢを有し得る。長さＢは、シャフトの端部１３２ａから拡張部分１４０の下面まで延び得る。長さＢは、約３６．０８ｍｍ（約１．４２０インチ）であり得る。
【００２８】
[00044]  シャフト１３２は直径Ｃを有し得る。直径Ｃは約１．２ｍｍ（約０．０４７インチ）であり得る。シャフト１３２は、拡張部分１４０においてチップホルダ１２４に連結され得る。拡張部分１４０は、直径Ｄを有し得る。直径Ｄは、約２．４ｍｍ（約０．０８３インチ）であり得る。拡張部分１４０は、シャフト１３２と一体であり得る。この場合チップホルダ１２４は、シャフト１３２の拡張部分１４０に連結又は固定され得る。代替的に、拡張部分１４０は、チップホルダ１２４と一体であってもよい。この場合シャフト１３２は、拡張部分１４０に連結又は固定され得る。代替的に、シャフト１３２、拡張部分１４０、及びチップホルダ１２４が、例えば射出成形などによって、一体的に形成されてもよい。
【００２９】
[00045]  引き続き図４Ａ〜図４Ｅを参照すると、チップホルダ１２４は、第１の側部１２４ａ及び第２の側部１２４ｂを備え得る。第１の側部１２４ａ及び第２の側部１２４ｂは、拡張部分１４０によって接合され得る。スロット１４２が、第１の側部１２４ａと第２の側部１２４ｂとの間に画定され得る。第１の側部１２４ａ及び第２の側部１２４ｂの各々は、直径Ｅを有し得る。直径Ｅは、約４ｍｍ（約０．１５７インチ）であり得る。第１の側部１２４ａ及び第２の側部１２４ｂの外面は、距離Ｆだけ分離され得る。距離Ｆは、約３．８７ｍｍ（約０．１５２インチ）であり得る。第１の側部１２４ａの内面と第２の側部１２４ｂの内面との間に延在するスロット１４２は、幅Ｇを有し得る。幅Ｇは、約１．２ｍｍ（約０．０４７インチ）であり得る。第１の側部１２４ａ及び第２の側部１２４ｂの各々は、開口１３６（図４Ｂでは１つの開口１３６のみが見える）を有し得る。開口１３６は、直径Ｈを有し得る。直径Ｈは、約１．６ｍｍ（約０．０６３インチ）であり得る。直径Ｈは、約０．０５ｍｍ（０．００２インチ）だけ大きく又は小さく変動し得る。前述のように、開口１３６は、締結具１３８（図２Ｂ）を受容し得る。
【００３０】
[00046]  図５Ａ〜図５Ｄは、インサートアセンブリ１２２（図３Ａ〜図３Ｃ）のチップ１１８の図を示しており、チップホルダ１２４、シャフト１３２、及び締結具１３８が省略されている。チップ１１８は、スタンプ部分１４４及びフランジ１２６を含み得る。スタンプ部分１４４は、所望のビューティマーク又は形状（例えば、三角形、湾曲した三角形（例えば、コンマに類似）、扇形（例えば、「パイスライス」に類似）、Ｓ字形状、湾曲した形状、くさび形、花、月、ハート、星、三日月等、又はそれらの組合せ）に対応し得る。スタンプ部分１４４は、長さＪ及び深さＫを有し得る。長さＪは、約１０．９５ｍｍ（約０．４３１インチ）であり得、深さＫは、約４．８２ｍｍ（約０．１９０インチ）であり得る。スタンプ部分１４４は、くさび形状であり得、又は卵形状の一部分のような形状であり得る。スタンプ部分１４４は、先端１４６から湾曲した又は丸みを帯びた部分１４８まで延び得る。先端１４６は幅Ｌを有し得る。幅Ｌは約０．９３ｍｍ（約０．０３７インチ）であり得る。
【００３１】
[00047]  引き続き図５Ａ〜図５Ｄを参照すると、スタンプ部分１４４は、チップ１１８が単一部品となるようにフランジ１２６と一体的に形成され得る。フランジ１２６は、開口１５０を有し得る。開口１５０は、直径Ｍを有し得る。直径Ｍは、約１．６ｍｍ（約０．０６３インチ）であり得る。フランジ１２６は、厚さＮ及び幅Ｐを有し得る。厚さＮは、約１．００ｍｍ（約０．０３９インチ）であり得、幅Ｐは、約４．００ｍｍ（０．１５７インチ）であり得る。したがって、前述のように、フランジ１２６は、チップホルダ１２４のスロット１４２内に受容され得る。スロット１４２に入れられると、開口は、チップホルダ１２４の第１の側部１２４ａ及び第２の側部１２４ｂの開口１３６（図４Ａ）と位置が合い得る。締結具１３８（図２Ｂ）は、第１の側部１２４ａの開口１３６、フランジ１２６の開口１５０、及び第２の側部１２４ｂの開口１３６を通して延び得る。したがって、フランジ１２６、締結具１３８、及びチップホルダ１２４は、ピボットデバイスとして動作し得る。締結具１３８は、それぞれの開口内に（例えばナットを用いて）固定され得る。締結具１３８は、それぞれの開口内に着脱可能に固定され得る。チップ１１８が他の形状又はビューティマークなどの異なる形態をとるとき、チップ１１８は、（例えば星形などの形状に対応する）スタンプ部分１４４及びフランジ１２６を含み得、それにより、チップ１１８は、チップホルダ１２４及びシャフト１３２を取り換えることなく、化粧用アプリケータ１００において交換可能であり得る。
【００３２】
[00048]  一実施形態によれば、化粧用アプリケータは、ハンドルに連結された基端部及び末端部を有するワンドと、末端部に連結されたブラシと、ブラシの端部においてワンドの末端部に連結されたスタンプとを含み得、ブラシは、マスカラ製品を睫毛に塗布するように構成され、スタンプは、マスカラ製品を瞼に塗布するように構成される。スタンプは、ラテックスを含まないプラスチックから形成され得る。スタンプは、ウィングアイ形状を瞼に塗布するように構成され得る。スタンプは、ピボットデバイスを用いてワンドの末端部に連結され得、ピボットデバイスは、中立位置と、左に枢動した位置と、右に枢動した位置との間でスタンプを移動させるように構成される。化粧用アプリケータは、係止デバイスを含み得、係止デバイスは、スタンプを中立位置、左に枢動した位置、及び右に枢動した位置に選択的に保持するように構成される。ピボットデバイスは、ラチェット、ボールソケット、爪と歯、又はロータリアクチュエータのうちの１つであり得る。スタンプは、三角形、湾曲した三角形、扇形、Ｓ字形状、湾曲した形状、くさび形、花、月、ハート、星、若しくは三日月、又はこれらの組合せのうちの１つであり得る。
【００３３】
[00049]  一実施形態によれば、化粧を施すための方法は、ブラシと末端部に連結されたスタンプとを有するワンドを提供することと、ワンドをマスカラ製品のリザーバ内に挿入することと、マスカラ製品をブラシを用いて第１の目の睫毛に塗布することと、ワンドをリザーバ内に挿入することと、スタンプを中立位置から左に枢動した位置に枢動させ、スタンプを左に枢動した位置に係止することと、ウィングアイ効果をつくるように、第１の目の瞼にスタンプを押すこととを含み得る。本方法は、スタンプを左に枢動した位置に枢動させるより前に、マスカラ製品をブラシを用いて第２の目の睫毛に塗布することと、スタンプを、左に枢動した位置から、中立位置を通り、右に枢動した位置に枢動させることと、ウィングアイ効果をつくるように、第２の目の瞼にスタンプを押すこととを含み得る。
【００３４】
[00050]  本開示では、本発明の例示的な実施形態だけでなく、その汎用性のいくつかの例を図示及び説明している。本発明が、様々な他の組合せ及び環境で使用することが可能であり、本明細書で表される発明概念の範囲内で変更又は修正を行うことができることを理解されたい。
【００３５】
[00051]  前述の説明は本発明の好ましい実施形態を対象としているが、他の変形及び修正が当業者には明らかとなり、本発明の趣旨又は範囲から逸脱することなく行われ得ることに留意されたい。更に、本発明の１つの実施形態に関連して説明した特徴は、上で明示的に述べていなくても、他の実施形態とともに使用されてよい。
【図１】
2021535821.tif 000003
【図２Ａ】
2021535821.tif 000004
【図２Ｂ】
2021535821.tif 000005
【図２Ｃ】
2021535821.tif 000006
【図３Ａ】
2021535821.tif 000007
【図３Ｂ】
2021535821.tif 000008
【図３Ｃ】
2021535821.tif 000009
【図３Ｄ】
2021535821.tif 000010
【図４Ａ】
2021535821.tif 000011
【図４Ｂ】
2021535821.tif 000012
【図４Ｃ】
2021535821.tif 000013
【図４Ｄ】
2021535821.tif 000014
【図４Ｅ】
2021535821.tif 000015
【図５Ａ】
2021535821.tif 000016
【図５Ｂ】
2021535821.tif 000017
【図５Ｃ】
2021535821.tif 000018
【図５Ｄ】
2021535821.tif 000019
【国際調査報告】
2021535821.tif 000020